(57)【要約】【課題】画像信号に応じた光の損失を低減でき、良好な視野角特性で明るい画像を表示するためのレンズシートの製造方法等を提供すること。【解決手段】マイクロレンズ３２が形成された第１面Ｓ１及び第１面Ｓ１とは反対側の第２面Ｓ２を有する第１透明層であるマイクロレンズアレイ層３０の第２面Ｓ２側に感光層４１を形成する感光層形成工程と、マイクロレンズアレイ層３０を形成する部材の屈折率とは異なる屈折率の部材を備える第２透明層４２をマイクロレンズアレイ層３０の第１面Ｓ１側に形成する第２透明層形成工程と、第２透明層４２から光を入射させて感光層４１を露光する露光工程と、感光層４１のうち、露光工程により露光された露光部以外の部分に遮光部を形成する遮光部形成工程と、第２透明層４２を除去する第２透明層除去工程と、を含む。【選択図】図３
2007206393.tif 000002
【特許請求の範囲】
【請求項１】
マイクロレンズが形成された第１面及び前記第１面とは反対側の第２面を有する第１透
明層の前記第２面側に感光層を形成する感光層形成工程と、
前記第１透明層を形成する部材の屈折率とは異なる屈折率の部材を備える第２透明層を
前記第１透明層の前記第１面側に形成する第２透明層形成工程と、
前記第２透明層から光を入射させて前記感光層を露光する露光工程と、
前記感光層のうち、前記露光工程により露光された露光部以外の部分に遮光部を形成す
る遮光部形成工程と、
前記第２透明層を除去する第２透明層除去工程と、を含むことを特徴とするレンズシー
トの製造方法。
【請求項２】
前記第２透明層は、前記第１透明層を形成する部材の屈折率より小さい屈折率の部材を
備えることを特徴とする請求項１に記載のレンズシートの製造方法。
【請求項３】
前記露光部を除去する露光部除去工程を含むことを特徴とする請求項１又は２に記載の
レンズシートの製造方法。
【請求項４】
前記遮光部形成工程は、
色材を含有させた色材含有層を、前記感光層のうち前記第１透明層が設けられた側とは
反対側の面に形成する色材含有層形成工程と、
前記色材含有層のうち、前記感光層の前記露光部以外の部分に対応する部分を残存させ
、かつ前記露光部に対応する部分を取り除くことにより前記色材含有層をパターニングす
る色材含有層パターニング工程と、を含むことを特徴とする請求項１〜３のいずれか一項
に記載のレンズシートの製造方法。
【請求項５】
請求項１〜４のいずれか一項に記載のレンズシートの製造方法により製造されることを
特徴とするレンズシート。
【請求項６】
請求項５に記載のレンズシートを備えることを特徴とするスクリーン。
【請求項７】
画像信号に応じた光を請求項６に記載のスクリーンに透過させることにより画像を表示
することを特徴とするリアプロジェクタ。
【発明の詳細な説明】
【技術分野】
【０００１】
本発明は、レンズシートの製造方法、レンズシート、スクリーン及びリアプロジェクタ
、特に、リアプロジェクタのスクリーンに用いられるレンズシートの技術に関する。
【背景技術】
【０００２】
画像信号に応じた光（映像光）を透過させることにより画像を表示する、いわゆるリア
プロジェクタには、光を透過させる透過型スクリーンが用いられる。透過型スクリーンで
反射した外光が観察者の方向へ進行すると、観察者は、映像光と外光とを同時に観察する
ことになる。映像光と同時に外光が観察者の眼に入ると、画像のコントラストが低下する
ことが考えられる。このような画像のコントラストの低下を低減するために、例えば、外
光を吸収する遮光部をレンズシートに形成する技術が提案されている。レンズシートに遮
光部を形成する技術としては、例えば、特許文献１に提案されているものがある。
【０００３】
【特許文献１】特開２０００−６６００９号公報
【発明の開示】
【発明が解決しようとする課題】
【０００４】
特許文献１にて提案される技術のように、レンズシートに形成されたレンズアレイを利
用した露光により遮光部を形成する場合、露光光と略同じ角度範囲で入射する映像光を通
過させるようにパターニングされた遮光部が形成される。このため、略平行化された光を
用いた露光により遮光部を形成した場合には、平行光からずれて進行する映像光が遮光部
に吸収されてしまうことが考えられる。遮光部での遮光による映像光の損失が顕著となる
と、効率的な画像表示を行うことが困難となる。また、平行光からのずれが大きい映像光
ほど遮光部での吸収が顕著となることから、スクリーンを見る角度によって明るさが異な
る、スクリーンの隅ほど暗く見える等の不具合を生じることも考えられる。従来の技術で
は、遮光部への映像光の吸収を低減するような調整を行うことも困難である。このように
、従来の技術によると、画像信号に応じた光の損失を低減することが困難であるという問
題を生じる。本発明は、上述の問題に鑑みてなされたものであり、画像信号に応じた光の
損失を低減でき、良好な視野角特性で明るい画像を表示するためのレンズシートの製造方
法、レンズシート、スクリーン、及びリアプロジェクタを提供することを目的とする。
【課題を解決するための手段】
【０００５】
上述した課題を解決し、目的を達成するために、本発明によれば、マイクロレンズが形
成された第１面及び第１面とは反対側の第２面を有する第１透明層の第２面側に感光層を
形成する感光層形成工程と、第１透明層を形成する部材の屈折率とは異なる屈折率の部材
を備える第２透明層を第１透明層の第１面側に形成する第２透明層形成工程と、第２透明
層から光を入射させて感光層を露光する露光工程と、感光層のうち、露光工程により露光
された露光部以外の部分に遮光部を形成する遮光部形成工程と、第２透明層を除去する第
２透明層除去工程と、を含むことを特徴とするレンズシートの製造方法を提供することが
できる。
【０００６】
第２透明層及び第１透明層を介して感光層の露光を行うことにより、マイクロレンズの
焦点位置は、第１透明層へ直接光を入射させる場合とは異なる位置となる。マイクロレン
ズの焦点位置は、第２透明層の屈折率に応じて適宜調整することが可能である。適宜焦点
位置が調整された光により感光層を露光することにより、遮光部同士の間に形成される開
口部のサイズを適宜設定し、遮光部への映像光の入射を低減可能な構成とすることができ
る。遮光部で遮光される映像光を低減することにより、映像光を効率良く透過させること
が可能となる。また、露光光に比較して広い角度分布を持つ映像光を透過可能な構成とす
ることで、視角依存が少なく均一で明るい画像を表示することが可能となる。これにより
、画像信号に応じた光の損失を低減でき、良好な視野角特性で明るい画像を表示するため
のレンズシートを製造することができる。
【０００７】
また、本発明の好ましい態様としては、第２透明層は、第１透明層を形成する部材の屈
折率より小さい屈折率の部材を備えることが望ましい。第２透明層及び第１透明層を介し
て感光層の露光を行うことにより、第１透明層へ直接光を入射させる場合と比較してマイ
クロレンズの焦点位置をマイクロレンズから遠い位置とすることが可能となる。これによ
り、遮光部同士の間に形成される開口部のスペースを十分に確保し、画像信号に応じた光
の損失を低減可能なレンズシートを製造することができる。
【０００８】
また、本発明の好ましい態様としては、露光部を除去する露光部除去工程を含むことが
望ましい。これにより、感光層のうち露光部以外の部分に遮光部を形成することができる
。
【０００９】
また、本発明の好ましい態様としては、遮光部形成工程は、色材を含有させた色材含有
層を、感光層のうち第１透明層が設けられた側とは反対側の面に形成する色材含有層形成
工程と、色材含有層のうち、感光層の露光部以外の部分に対応する部分を残存させ、かつ
露光部に対応する部分を取り除くことにより色材含有層をパターニングする色材含有層パ
ターニング工程と、を含むことが望ましい。色材含有層をパターニングすることで遮光部
を形成することができる。例えば、感光層として、露光により硬化する光硬化性の接着剤
を用いることとすると、色材含有層の貼り付け、及び色材含有層のうち感光層の露光部に
対応する部分の除去を容易に行うことができる。このため、容易に色材含有層をパターニ
ングすることができる。
【００１０】
さらに、本発明によれば、上記のレンズシートの製造方法により製造されることを特徴
とするレンズシートを提供することができる。上記のレンズシートの製造方法を用いるこ
とで、画像信号に応じた光の損失を低減でき、良好な視野角特性で明るい画像を表示する
ためのレンズシートを得られる。
【００１１】
さらに、本発明によれば、上記のレンズシートを備えることを特徴とするスクリーンを
提供することができる。上記のレンズシートを用いることで、画像信号に応じた光の損失
を低減でき、良好な視野角特性で明るい画像を表示することができる。これにより、画像
信号に応じた光の損失を低減でき、良好な視野角特性で明るい画像を表示するためのスク
リーンを得られる。
【００１２】
さらに、本発明によれば、画像信号に応じた光を上記のスクリーンに透過させることに
より画像を表示することを特徴とするリアプロジェクタを提供することができる。上記の
スクリーンに画像信号に応じた光を透過させて画像を表示することにより、画像信号に応
じた光の損失を低減し、良好な視野角特性で明るい画像を表示することができる。これに
より、良好な視野角特性で明るい画像を表示することが可能なリアプロジェクタを得られ
る。
【発明を実施するための最良の形態】
【００１３】
以下に図面を参照して、本発明の実施例を詳細に説明する。
【実施例】
【００１４】
図１は、本発明の実施例に係るリアプロジェクタ１０の概略構成を示す。リアプロジェ
クタ１０は、スクリーン２５の一方の面に光を投写し、スクリーン２５の他方の面から出
射する光を観察することで画像を鑑賞するものである。光源部である超高圧水銀ランプ１
１は、第１色光である赤色光（以下、「Ｒ光」という。）、第２色光である緑色光（以下
、「Ｇ光」という。）、及び第３色光である青色光（以下、「Ｂ光」という。）を含む光
を供給する。
【００１５】
インテグレータ１２は、超高圧水銀ランプ１１からの光の照度分布を空間光変調装置上
で均一化させる。インテグレータ１２を経た光は、偏光変換素子１３にて特定の振動方向
を有する偏光光、例えばｐ偏光光に変換される。ｐ偏光光に変換された光は、色分離光学
系を構成するＲ光透過ダイクロイックミラー１４Ｒに入射する。Ｒ光透過ダイクロイック
ミラー１４Ｒは、Ｒ光を透過し、Ｇ光、Ｂ光を反射する。Ｒ光透過ダイクロイックミラー
１４Ｒを透過したＲ光は、反射ミラー１５に入射する。反射ミラー１５で光路を略９０度
折り曲げられたＲ光は、Ｒ光用空間光変調装置１７Ｒに入射する。Ｒ光用空間光変調装置
１７Ｒは、Ｒ光を画像信号に応じて変調する透過型液晶表示装置である。なお、ダイクロ
イックミラーを透過しても、光の偏光方向は変化しないため、Ｒ光用空間光変調装置１７
Ｒに入射するＲ光は、ｐ偏光光のままの状態である。
【００１６】
Ｒ光用空間光変調装置１７Ｒに入射したｐ偏光光は、不図示の液晶パネルに入射する。
液晶パネルは、２つの透明基板の間に、画像表示のための液晶層を封入している。液晶パ
ネルに入射したｐ偏光光は、画像信号に応じた変調によりｓ偏光光に変換される。Ｒ光用
空間光変調装置１７Ｒは、変調によりｓ偏光光に変換されたＲ光を出射する。このように
して、Ｒ光用空間光変調装置１７Ｒで変調されたＲ光は、色合成光学系であるクロスダイ
クロイックプリズム１８に入射する。
【００１７】
Ｒ光透過ダイクロイックミラー１４Ｒで反射されたＧ光及びＢ光は、光路を９０度折り
曲げられる。光路を折り曲げられたＧ光及びＢ光は、Ｂ光透過ダイクロイックミラー１４
Ｇに入射する。Ｂ光透過ダイクロイックミラー１４Ｇは、Ｇ光を反射し、Ｂ光を透過する
。Ｂ光透過ダイクロイックミラー１４Ｇで反射されたＧ光は、Ｇ光用空間光変調装置１７
Ｇに入射する。Ｇ光用空間光変調装置１７Ｇは、Ｇ光を画像信号に応じて変調する透過型
液晶表示装置である。
【００１８】
Ｇ光用空間光変調装置１７Ｇに入射したｐ偏光光は、液晶パネルにおける画像信号に応
じた変調によりｓ偏光光に変換される。Ｇ光用空間光変調装置１７Ｇは、変調によりｓ偏
光光に変換されたＧ光を出射する。このようにして、Ｇ光用空間光変調装置１７Ｇで変調
されたＧ光は、クロスダイクロイックプリズム１８に入射する。
【００１９】
Ｂ光透過ダイクロイックミラー１４Ｇを透過したＢ光は、２枚のリレーレンズ１６、及
び２枚の反射ミラー１５を経由して、Ｂ光用空間光変調装置１７Ｂに入射する。Ｂ光用空
間光変調装置１７Ｂは、Ｂ光を画像信号に応じて変調する透過型液晶表示装置である。な
お、Ｂ光にリレーレンズ１６を経由させるのは、Ｂ光の光路がＲ光及びＧ光の光路よりも
長いためである。リレーレンズ１６を用いることにより、Ｂ光透過ダイクロイックミラー
１４Ｇを透過したＢ光を、そのままＢ光用空間光変調装置１７Ｂに導くことができる。
【００２０】
Ｂ光用空間光変調装置１７Ｂに入射したｐ偏光光は、液晶パネルにおける画像信号に応
じた変調によりｓ偏光光に変換される。Ｂ光用空間光変調装置１７Ｂは、変調によりｓ偏
光光に変換されたＢ光を出射する。このようにして、Ｂ光用空間光変調装置１７Ｂで変調
されたＢ光は、色合成光学系であるクロスダイクロイックプリズム１８に入射する。色分
離光学系を構成するＲ光透過ダイクロイックミラー１４ＲとＢ光透過ダイクロイックミラ
ー１４Ｇとは、超高圧水銀ランプ１１から供給される光を、Ｒ光、Ｇ光、Ｂ光に分離する
。
【００２１】
クロスダイクロイックプリズム１８は、互いに略直交するように配置された２つのダイ
クロイック膜１８ａ、１８ｂを有する。第１ダイクロイック膜１８ａは、Ｂ光を反射し、
Ｒ光及びＧ光を透過する。第２ダイクロイック膜１８ｂは、Ｒ光を反射し、Ｇ光及びＢ光
を透過する。かかる構成により、クロスダイクロイックプリズム１８は、Ｒ光、Ｇ光及び
Ｂ光を合成する。
【００２２】
投写レンズ２０は、クロスダイクロイックプリズム１８で合成された光を反射ミラー２
１の方向へ投写する。反射ミラー２１は、投写レンズ２０からの投写光をスクリーン２５
の方向へ反射する。スクリーン２５は、画像信号に応じた光である映像光を透過すること
により鑑賞者側の面に画像を表示するための透過型スクリーンである。スクリーン２５は
、フレネルレンズ２２、レンズシート２３、及び基板２４を有する。
【００２３】
フレネルレンズ２２は、反射ミラー２１からの光を略平行な光に角度変換する角度変換
部である。フレネルレンズ２２は、略同心円状に配置された複数のプリズム部２６を有す
る。各プリズム部２６は、凸レンズの凸面を切り出した輪状の切片と同様の形状を有する
。プリズム部２６は、例えば０．１１ｍｍのピッチで配置されている。フレネルレンズ２
２は、略同心円状に配置された各プリズム部２６により、映像光を略平行な光に角度変換
する。なお、プリズム部２６は、略同心円状に配置する場合に限られず、例えば楕円状に
配置することとしても良い。
【００２４】
図２は、スクリーン２５のうちレンズシート２３及び基板２４の要部断面構成を示す。
レンズシート２３は、マイクロレンズアレイ層３０及び遮光部３３を有する。マイクロレ
ンズアレイ層３０は、マイクロレンズアレイ３１が形成された第１面Ｓ１、及び第１面Ｓ
１とは反対側の略平坦な第２面Ｓ２を有する第１透明層である。マイクロレンズアレイ３
１は、二次元方向にアレイ状に設けられた複数のマイクロレンズ３２を有する。マイクロ
レンズ３２は、球面若しくは非球面形状を有する。
【００２５】
遮光部３３は、マイクロレンズアレイ層３０の第２面Ｓ２側のうち、開口部３４が設け
られる部分以外の部分に形成されている。開口部３４は、各マイクロレンズ３２の焦点位
置の近傍に形成されている。遮光部３３は、格子状に形成されている。遮光部３３は、観
察者ＯＢＳ側からスクリーン２５へ入射する外光を吸収することにより、観察者ＯＢＳの
方向への外光の反射を低減する。遮光部３３により外光の反射を低減することで、画像の
コントラストの低下を低減することが可能となる。フレネルレンズ２２で平行化された映
像光は、マイクロレンズ３２の屈折作用により、開口部３４の付近で絞られた後観察者Ｏ
ＢＳ側にて拡散する。
【００２６】
基板２４は、遮光部３３及び開口部３４から見てマイクロレンズアレイ層３０とは反対
側に設けられている。基板２４は、透明部材を備える平行平板である。基板２４は、レン
ズシート２３からの光を拡散させる拡散剤を分散させても良い。また、スクリーン２５は
、拡散剤を分散させた拡散層を別途設ける他、微小な凹凸を施した拡散面を施すこととし
ても良い。レンズシート２３からの光を拡散させる構成とすることにより、さらに良好な
視野角特性を得ることができる。
【００２７】
図３〜図５は、レンズシート２３を製造する手順を説明するものである。まず、図３に
示す工程ａにおいて、マイクロレンズアレイ層３０を形成する。マイクロレンズアレイ層
３０のマイクロレンズアレイ３１は、例えば、機械加工により金型を形成し、金型の形状
を樹脂部材に型転写する方法、フォトリソグラフィ工程とエッチング工程とを組み合わせ
て形成する方法により形成できる。フォトリソグラフィ工程においては、スパッタリング
法、蒸着法、ＣＶＤ法などにより形成されたフォトマスクのパターンをレジスト層に転写
した後、等方性エッチングを行う。また、エッチングした他の部材を型としてレプリカを
作成しても良い。
【００２８】
次に、工程ｂにおいて、第１透明層であるマイクロレンズアレイ層３０の第２面Ｓ２側
に感光層４１を形成する。工程ｂは、感光層形成工程である。感光層４１としては、例え
ば、感光することで硬化するポジ型感光性樹脂を用いることができる。次に、工程ｃにお
いて、第１透明層であるマイクロレンズアレイ層３０の第１面Ｓ１側に第２透明層４２を
形成する。工程ｃは、第２透明層４２を形成する第２透明層形成工程である。第２透明層
４２は、マイクロレンズアレイ層３０を形成する部材の屈折率ｎ１とは異なる屈折率ｎ２
の部材を用いて構成され、特に、ｎ１＞ｎ２＞１の関係が成り立つ。なお、感光層形成工
程と第２透明層形成工程とは、順序を入れ換えても良い。
【００２９】
また、第２透明層４２は、後述する工程ｉにおいてマイクロレンズアレイ層３０から容
易に除去可能な部材で構成されることが望ましい。例えば、第２透明層４２としては、液
体である水、有機溶剤、オイル等を用いることができる。また、工程ａにおいて型転写に
よりマイクロレンズアレイ３１を形成する場合、型として用いた部材を第２透明層４２と
して活用することとしても良い。次に、工程ｄにおいて、第２透明層４２が形成された側
から略平行化された紫外光を入射させる。工程ｄは、第２透明層４２から光を入射させて
感光層４１を露光する露光工程である。感光層４１は、第２透明層４２及びマイクロレン
ズアレイ層３０を透過した光により露光される。
【００３０】
工程ｄに示す露光工程により、図４の工程ｅに示すように、感光層４１には、露光によ
り硬化された露光部４３、及び感光層４１のうち露光部４３以外の部分である未露光部４
４が形成される。次に、工程ｆに示す露光部除去工程において、露光部４３が除去される
。露光部４３が除去された後、工程ｇに示す色材含有層形成工程において、色材含有層４
５が形成される。色材含有層４５は、感光層４１（露光部４３が設けられていた部分及び
未露光部４４）のうち、マイクロレンズアレイ層３０が設けられた側とは反対側に設けら
れる。色材含有層４５は、顔料、染料あるいはそれらの混合物である色材を含有する。
【００３１】
次に、工程ｈに示す色材含有層パターニング工程において、色材含有層４５をパターニ
ングする。色材含有層４５のパターニングは、色材含有層４５のうち未露光部４４に対応
する部分を残存させ、工程ｆで除去された露光部４３に対応する部分を取り除くことによ
り行う。色材含有層４５のうち、感光層４１の未露光部４４に対応する部分が遮光部３３
となる。工程ｇ及び工程ｈは、感光層４１のうち、露光工程により露光された露光部４３
以外の部分である未露光部４４に遮光部３３を形成する遮光部形成工程である。遮光部３
３同士の間に形成される開口部３４は、工程ｆで除去された露光部４３、及び色材含有層
４５のうち工程ｈにおいて取り除かれた部分に相当する。
【００３２】
感光層４１としては、露光により硬化する光硬化性の接着剤を用いることができる。感
光層４１として光硬化性の接着剤を用いることにより、工程ｇにおける色材含有層４５の
貼り付け、及び色材含有層４５のうち露光部４３に対応する部分の除去を容易に行うこと
ができる。これにより、容易に色材含有層４５をパターニングすることができる。さらに
、図５の工程ｉに示す第２透明層除去工程において第２透明層４２を除去することにより
、レンズシート２３が完成する。
【００３３】
図６は、図３に示す工程ｄとの比較例であって、第２透明層４２を用いずマイクロレン
ズアレイ層３０へ光を入射させる従来の製造方法における露光工程について説明するもの
である。各マイクロレンズ３２は、感光層４１上にて焦点を形成するように構成されてい
る。感光層４１は、マイクロレンズ３２により形成される焦点及びその近傍の非常に狭い
部分のみが露光される。感光層４１のうち露光された露光部に開口部、露光部以外の部分
に遮光部を設けることとすると、露光光と同様に略平行化された映像光を通過させるよう
な開口部を形成することが可能となる。これに対して、平行光からずれて進行する映像光
が遮光部に吸収されてしまうことが考えられる。遮光部への映像光の吸収が顕著となると
、効率的な画像表示を行うことが困難となる。また、平行光からのずれが大きい映像光ほ
ど遮光部での吸収が顕著となることから、スクリーンを見る角度によって明るさが異なる
、スクリーンの隅ほど暗く見える等の不具合を生じることも考えられる。
【００３４】
本発明の製造方法では、マイクロレンズアレイ層３０の屈折率ｎ１より小さい屈折率ｎ
２の第２透明層４２に光を設けることにより、マイクロレンズ３２の入射界面における屈
折率差が小さくなる。マイクロレンズ３２の入射界面における屈折率差を小さくすること
で、マイクロレンズ３２による光の屈折作用が小さくなる。よって、図３の工程ｄに示す
ように、マイクロレンズ３２を透過した光は、図６に示す場合よりもマイクロレンズアレ
イ３１から遠い位置に焦点を形成する。
【００３５】
感光層４１上よりさらに遠い位置に焦点を形成する光により感光層４１を露光すること
により、図６に示す場合よりも露光部４３（図４参照。）のサイズを大きくすることがで
きる。露光部４３のサイズを大きくすることにより、遮光部３３同士の間に形成される開
口部３４のサイズを大きくすることができる。なお、マイクロレンズ３２の焦点位置は、
第２透明層４２を形成する部材の屈折率ｎ２に応じて適宜設定することが可能である。マ
イクロレンズアレイ層３０を形成する部材の屈折率ｎ１と第２透明層４２を形成する部材
の屈折率ｎ２との差を小さくするほどマイクロレンズアレイ３１から遠い位置に焦点を形
成し、大きいサイズの開口部３４を形成することができる。
【００３６】
図７は、図３〜図５の手順により製造されたレンズシート２３へ入射する映像光の振舞
いを説明するものである。フレネルレンズ２２（図１参照。）により略平行化された映像
光は、マイクロレンズ３２を透過することにより、開口部３４のうち露光部４３（図４参
照。）に相当する位置にて焦点を形成した後、レンズシート２３の出射側にて拡散する。
さらに、開口部３４のサイズを大きくすることで、平行光からずれて進行する映像光も開
口部３４を通過可能な構成とし、遮光部３３への映像光の入射を低減する。遮光部３３へ
の映像光の入射を低減することで、遮光部３３における映像光の吸収を低減し、映像光を
効率良く透過させることが可能となる。露光光に比較して広い角度分布を持つ映像光を開
口部３４にて通過させることで、視角依存が少なく均一で明るい画像を表示することがで
きる。これにより、画像信号に応じた光の損失を低減でき、良好な視野角特性で明るい画
像を表示することができるという効果を奏する。
【００３７】
なお、レンズシート２３を製造する手順としては、図３〜図５に示すものに限られない
。例えば、第２透明層除去工程は、遮光部形成工程の後である場合に限られず、露光工程
の後であればいつであっても良い。また、露光部除去工程により露光部４３を除去する場
合に限られない。色材含有層４５をパターニングすることが可能であって、かつ露光部４
３にて光を透過させることが可能であれば露光部４３を残存させることとしても良い。
【００３８】
レンズシートは、二次元方向についてマイクロレンズ３２をアレイ状に配列させたマイ
クロレンズアレイ３１を用いる構成に限られず、レンチキュラーレンズを一方向に配列さ
せたレンチキュラーレンズアレイを用いる構成としても良い。レンチキュラーレンズアレ
イを用いるレンズシートには、レンチキュラーレンズに対応してストライプ状に形成され
た遮光部が用いられる。レンチキュラーレンズアレイとストライプ状に形成された遮光部
を用いるレンズシートの場合も、上記の製造方法により製造することで、画像信号に応じ
た光の吸収を低減でき、良好な視野角特性で明るい画像を表示可能な構成とすることがで
きる。
【００３９】
リアプロジェクタ１０は、光源部として超高圧水銀ランプを用いる他、例えば、発光ダ
イオード素子（ＬＥＤ）等の固体発光素子を用いても良い。また、リアプロジェクタ１０
は、３つの透過型液晶表示装置を設ける場合に限らず、例えば、１つの透過型液晶表示装
置や、反射型液晶表示装置、微小ミラーアレイデバイスを設けることとしても良い。
【産業上の利用可能性】
【００４０】
以上のように、本発明に係るレンズシートの製造方法は、リアプロジェクタのスクリー
ンに用いられるレンズシートを製造する場合に適している。
【図面の簡単な説明】
【００４１】
【図１】本発明の実施例に係るリアプロジェクタの概略構成を示す図。
【図２】レンズシート及び基板の要部断面構成を示す図。
【図３】レンズシートを製造する手順を説明する図。
【図４】レンズシートを製造する手順を説明する図。
【図５】レンズシートを製造する手順を説明する図。
【図６】マイクロレンズアレイ層へ光を入射させる場合について説明する図。
【図７】レンズシートへ入射する映像光の振舞いを説明する図。
【符号の説明】
【００４２】
１０  リアプロジェクタ、１１  超高圧水銀ランプ、１２  インテグレータ、１３  偏
光変換素子、１４Ｒ  Ｒ光透過ダイクロイックミラー、１４Ｇ  Ｂ光透過ダイクロイック
ミラー、１５  反射ミラー、１６  リレーレンズ、１７Ｒ  Ｒ光用空間光変調装置、１７
Ｇ  Ｇ光用空間光変調装置、１７Ｂ  Ｂ光用空間光変調装置、１８  クロスダイクロイッ
クプリズム、１８ａ  第１ダイクロイック膜、１８ｂ  第２ダイクロイック膜、２０  投
写レンズ、２１  反射ミラー、２２  フレネルレンズ、２３  レンズシート、２４  基板
、２５  スクリーン、２６  プリズム部、３０  マイクロレンズアレイ層、３１  マイク
ロレンズアレイ、３２  マイクロレンズ、３３  遮光部、３４  開口部、Ｓ１  第１面、
Ｓ２  第２面、４１  感光層、４２  第２透明層、４３  露光部、４４  未露光部、４５
色材含有層
【図１】
2007206393.tif 000003
【図２】
2007206393.tif 000004
【図３】
2007206393.tif 000005
【図４】
2007206393.tif 000006
【図５】
2007206393.tif 000007
【図６】
2007206393.tif 000008
【図７】
2007206393.tif 000009